(57)【特許請求の範囲】
【請求項１】
ａ）  ２側面の接着フイルムからなり、該２側面はそれぞれ接着区域および非接着区域を有しており、
ｂ）  一方の側の接着区域は常に他方の側の非接着区域に対向するように位置されており、
ｃ）  ただし、一方の側の非接着区域と他方の側の非接着区域とは僅かにオーバーラップしているか或いは全くオーバーラップしておらず、
ｄ）  それと生成した接着結合は接着区域を結合平面の方向に引くことによって分離することができ、そして
ｅ）  接着フイルムの接着が凝着より低く、接着強度がフイルムの延伸の間に実質的に消失し、そして分離力／引裂強さの比が少なくとも１：１．５である、
ことを特徴とする一時的結合のための接着フイルム片。
【発明の詳細な説明】
【０００１】
本発明は、一時的結合のための接着フィルム片に関する。
【０００２】
このタイプの接着フィルムは既知である。例えば、ドイツ国特許（ＤＥ）第３３  ３１  ０１６号は、接着フィルムと生成した接着結合を結合平面の方向に接着フィルムを引くことによって分離することができる、一時的結合のための粘着フィルムを記載している。このタイプの接着フィルムにより、高い接着力および剪断強さを達成することができ、そして接着結合系は、ゴムシールをシールジョイントからタブを介して引き出される貯蔵壜の開口に匹敵する方法で、それ以上の助けなしに再び分離することができる。
【０００３】
さらに、ドイツ国特許（ＤＥ）第３７  １４  ４５３Ｃｌ号は、このタイプの接着フィルムにより練習用物体に可逆的に取り付け、そして非破壊的方法で練習用物体から除去できる練習用爆発装填物を記載している。
【０００４】
さらに、ＷＯ９２／１１３３３号は、なかでも、使用する接着フィルムが低い弾性と同時に高い伸び率を有する、対応する応用のための接着フィルムを記載している。
【０００５】
ドイツ国特許（ＤＥ）第４２  ２２  ８４９Ｃｌ号は、同様に、特別に設計したタブをもつこのタイプの接着フィルムのストリップを記載している。
【０００６】
しかしながら、上の特許に記載されている接着系はある数の欠点を有する：
−  結合の接合から接着フィルムを除去することができるためには、その一部分タブのの形態でそれから突起しなくてはならない。こうして、接着フィルムは非柔軟性物体の結合の場合において完全には必ずしも不可視ではなく、むしろタブは可視であり、視的に欠点に見えることがありそして、また、光への暴露で老化する材料を使用するとき、技術的問題を生ずることがある。
【０００７】
−  結合の間、全体の接着フィルム、すなわち、タブを含む、は、結合の接合の中に容易に消失することがある。これは、タブが結合の接合の外に粘着し、次いで結合の接合の外に突起するような方法で、専門家でないユーザーが支持体のへりにこのタイプの接着フィルム片を配置しない場合、とくに専門家でないユーザーに対して起こることがある。次いで、結合を剥離するためになにをするかを知ることは困難でありそして、少なくとも１つの破壊は起こることがある。
【０００８】
−  接着フィルムが剥離のプロセスの間に裂けそして接着フィルムの裂けた片が結合の接合の内側に完全に止まる場合、残留物を残さずかつ結合の相手を破壊せずに結合した材料を分離することは通常まったく不可能であり、これはかなりの損傷を引き起こすことがある。
【０００９】
−  接着フィルムの構成成分として、少量で伸張できるか、あるいはまったく伸張できない層を使用することは不可能である。しかしながら、対応する層、例えば、フォームは、技術的観点から、例えば、粗い支持体上ですぐれた結合強さを達成することが決定的に価値があることがある。
【００１０】
本発明の目的は、結合後完全に結合の接合の領域内に存在する、すなわち、「不可視」であるが、それにもかかわらず好ましくは、損傷なしにかつ残留物を残さないで簡単な方法で結合した物体の分離を可能とする、一時的結合のための粘着フィルムを提供することであった。とくに、結合の接合から引き離すためにタブは不必要であるべきである。接着フィルムが分離のプロセスの間に避ける場合でさえ、結合の相手の非破壊的分離は同様に可能である。接着フィルムの構成成分として、ほんのわずかに延伸するか、あるいはまったく延伸しない層を使用することは可能であり、そして重要な接着特性を生成するために利用であるべきである。
【００１１】
したがって、本発明は特許請求の範囲においていっそう詳細に特徴づける接着フィルム片に関する。有利な態様を実施態様に記載する。
【００１２】
本発明において、一方の側の接着区域が常に他方の側の非接着区域に対向するするような方法で、２側面の粘着フィルムを非接着物質で部分的にコーティングする。適用（結合）の間の取り扱いのために、接着区域は有利には剥離積層でコーティングし、この積層は同時に接着組成物を使用前に保護する。２側面の粘着フィルムは、必要に応じて、追加の層、プラスチックフィルム、発泡したシート様構造体、フィラメントの中間層を有することができるが、これらに限定されない。２側面の粘着フィルムの端は、必要に応じて、両側が接着性不含であることができる。
【００１３】
この形態の接着フィルム片は、例えば、家庭またはオフィスにおいて、広範な種類の物質の一時的結合のために高度に適当である。例えば、ポスター、注意書き、小さい絵画などを、接着フィルムが結合の接合において不可視に止まるように、簡単な方法で結合することができる。他の可能な応用は、カートンの一時的シール、例えば、写真アルバムへの写真の一時的固定を包含するが、これらに限定されない。
【００１４】
結合平面に対して平行な縦方向に接着フィルムの方向において物体を引くことによって、簡単な方法で、残留物を残さない固定した物体の除去は可能である。接着する区域が互いから分離するような方法で、分離のプロセスが起こることを意図する。接着フィルムの中央から出発して２側面の粘着フィルムを延伸することによって、結合した物体の簡単な除去は達成される。ドイツ国特許（ＤＥ）第３３  ３１  ０１６号およびドイツ国特許（ＤＥ）第４２  ２２  ８４９号に類似する粘着組成物の粘着性を減少させることおよび、接着フィルムの延伸により引き起こされる、接着フィルムの厚さを減少させることによって、発生する接着の低下は得られる。
【００１５】
引くことは正確には実施する必要がない。ある角度で、直角でさえ、引くことさえ可能であるので、接着区域を互いから分離するように正確に引くことは不必要であるが、エレガントさに劣るからである。結合の接合の方向に正確に引くことは不必要である。偏りはここでまた許されるが、支持体に損傷しないように注意であるべきである。
【００１６】
容易に避ける中間の支持体、例えば、チシュペーパーまたは薄いフィルム、あるいは接着フィルムを引き離す区域において公称の破壊点を有する本発明に従う態様において、あるいは高度に弾性または非弾性であるが、高度に延伸可能な中間の支持体を使用する場合、残留物を残さない分離は、なかでもドイツ国特許（ＤＥ）第３３  ３１  ０１６号に記載するような、「ストリップ可能な」タイプの接着フィルムを使用して、上に概説した場合におけるように、達成される。しかしながら、ＷＯ９２／１１３３３号に記載されているタイプの製品をまた相応して使用することができる。
【００１７】
接着テープのために広く使用されているような粘着組成物のむしろいっそう古典的テープの接着フィルムを使用する本発明のこれらの態様において、引き離された部分の分離は結合の破壊後容易さに劣る。しかしながら、これはある用途のために、とくに残留物が問題を引き起こさないで支持体上に止まることができる場合、比較的重要でなはない。しかしながら、この場合および他の場合において、残留物をいっそう容易に除去可能であるべき場合、残留物を容易に引くすることができるように、各場合において、タブが推奨される。このようなタブは、とくに、非接着区域が接着フィルム片のへりの回りに、例えば、下の接着区域を数ミリメートル越えて延びるように、設計することができる。
【００１８】
新規な接着フィルムを使用して生成される接着結合の剪断負荷可能性は、次により決定される：
−  縦方向に接着フィルム（接着組成物＋任意の中間の支持体）を強化するために加えなくてはならない力、
−  非接着区域のわずかのオーバーラップする場合において、これらの上の接着フィルムの剪断強さ。
【００１９】
適当な材料
接着フィルム（２側面の粘着テープ）
普通の２側面の粘着テープ、とくに結合後、結合平面を引くことによって残留物を残さないで剥離することができるテープは本発明に従い適当である。適当な接着組成物は、天然ゴム／樹脂混合物、合成ゴム／樹脂混合物、アクリレートコポリマー、ポリウレタンなどを包含するが、これらに限定されない。ドイツ国特許（ＤＥ）第３３  ３１  ０１６号、ドイツ国特許（ＤＥ）第４２  ２２  ８４９号およびＷＯ９２／１１３３３号に記載されているような接着フィルムはとくに適当である。新規な接着フィルムの接着フィルムの典型的な寸法は（幅×長さ×厚さ）３ｍｍ×５ｍｍ×２５μｍ〜１００ｍｍ×２００ｍｍ×３０００μｍ、好ましくは５ｍｍ×１０ｍｍ×５０μｍ〜４０ｍｍ×８０ｍｍ×１０００μｍであるが、さらに間の支持体を使用する場合である。
【００２０】
中間の支持体
接着結合の分離に必要な剪断負荷可能性および力を調節するために、接着フィルムは必要に応じて中間の支持体を含有することができる。適当な材料は、なかでも、プラスチックフィルム、不織布、フォームおよびフィラメントである。発泡中間の支持体の使用は、さらに、粗い表面をもつ材料を結合するための接着組成物のよりすぐれたぬれを可能とする。中間の支持体の適当な引裂強さは、接着結合の問題のない分離が可能であるように低いか、あるいは問題のない分離を可能とするために公称破壊点を孔あけ、切れ目などにより組み込む。
【００２１】
非接着区域
非接着区域を生成することができる種々の方法が存在うる。例えば、非粘着コーティングにより接着組成物を不活性することによって、非接着区域を生成することができる。他の可能性は薄層の物質、例えば、プラスチックフィルムおよび紙の上の積層を包含する。非接着区域がわずかにオーバーラップする場合、接着結合を分離するために必要な力は非接着区域に対する接着フィルムの剪断強さを介しておよび非接着区域の延伸特性を介してコントロールすることができる。とくに、剥離剤のコーティングをもつか、あるいはもたないフィルムおよび紙を使用する。
【００２２】
剥離ラミネート
適当な剥離ラミネートは普通の剥離フィルムおよび剥離紙、例えば、シリコーン化剥離フィルム／剥離紙であり、これらは通常粘着組成物に対してすぐれた活性をもつシート様媒体として使用される。
【００２３】
一般に、とくに好ましい接着フィルムの製造、加工および取り扱いに関してドイツ国特許（ＤＥ）第３３  ３１  ０１６号、ドイツ国特許（ＤＥ）第４２  ２２  ８４９号およびＷＯ９２／１１３３３号を参照することができる。
【００２４】
次ぎの実施例によって、本発明をさらに説明する。これらの実施例により本発明は限定されい。すべての部は重量による。
【００２５】
【実施例】
実施例１
５０部の２９重量％のブロックポリスチレン含量を有するＳＩＳ３−ブロックポリマー（Ｖｅｃｔｏｒ  ４２１１、Ｄｅｘｃｏ）、５０部の部分的水素化コロホニーのペンタエステル（Ｐｅｎｔａｌｙｎ  Ｈ−Ｅ、Ｈｅｒｃｕｌｅｓ）および１部のフェノール系抗老化剤からなる粘着組成物Ｂを、６００μｍのフィルム厚さで２側面のシリコーン化８０ｇ／ｍ2の剥離紙上に押出し、そして接着組成物および剥離紙からなるラミネートを巻取って幅５０ｍｍのストックロールをつくった。第２作業において、上の接着ラミネートの１つの側の最初の半分（２５ｍｍの幅）を３０μｍの厚さのシリコーン化ポリプロピレンフィルム（シリコーン化側を接着組成物に向ける）でカバーし、引き続いてカバーしない接着組成物を幅３５ｍｍのシリコーン化剥離紙で、後者がポリプロピレンフィルムを越えて１０ｍｍだけ延びるような方法でカバーし、こうしてそれが後に剥離フィルムの容易な分離のためのタブとして働くことができるようにする。剥離紙の積層を両側でシリコーン化した後、接着フィルムの反対側を最初の接着組成物に相当する鏡像の方法で、同一のポリプロピレンフィルムおよび対応する剥離紙で積層する。打抜きにより２０ｍｍ×５０ｍｍの片を形成することによって、個々の接着フィルム片を製造する。
【００２６】
対応する接着フィルム片は軽量のシート様構造体、例えば、ポスター、小さい絵画などを結合するために、およびカートンをシールするために高度に適当である。例えば、ポスターを固定するために、シリコーン化剥離紙を接着組成物の一方の側から除去し、そして接着フィルムを、接着側を上に向けて、ポスターを支持する側に固定する。前の剥離紙の除去後、ポスターを取り付けることができる。信頼性ある結合のために、２枚の接着フィルムを使用し、これらはポスターの上左かどおよび上右かどの領域に存在し、ポスターの固定後不可視となる（ポスターにより完全にカバーされる）。
【００２７】
残留物を残さないでポスターを除去するために、それを結合平面に対して垂直に下方に引く。
【００２８】
実施例２
実施例１からストックのロールをさらに加工する間、幅２５ｍｍのポリプロピレンのフィルムを使用しないで、その代わり幅３０ｍｍのシリコーン化ポリプロピレンの剥離フィルムを使用して、それらが剥離フィルムの中央において各場合において１０ｍｍだけオーバーラップし、こうして接着フィルムの中央において長さ１０ｍｍの接着剤不含区域を生成するような方法で、非接着区域を生成する。対応する接着フィルム片は２次元の構造体、例えば、ポスター、小さい絵画などを結合するために、および、例えば、カートンをシールするために、同様に高度に適当である。実施例１と対照的に、接着結合を分離するために必要な力およびこうして結合により達成可能な剪断強さは、さらに、接着組成物とシリコーン化ポリプロピレンフィルムとの間の後者のオーバーラップ領域における結合の剪断強さ、ならびに接着組成物の延伸特性に依存する。したがって、要求される分離力および結合の剪断負荷は実施例１にと比較して増加される。
【００２９】
実施例３
実施例２におけるシリコーン化ポリプロピレンフィルムの非接着カバーを、厚さ１０μｍの同一寸法のシリコーン化されていない、二軸方向に延伸したポリエチレンテレフタレートでカバーすることによって置換する。
【００３０】
要求される分離力は実施例１と比較して同様に増加される。
【００３１】
実施例４
実施例２と同様に、厚さ１，２０００μｍの無色透明の粘着アクリレートコポリマーの組成物をＳＩＳに基づいて粘着組成物の代わりに使用する。アクリレートコポリマー組成物は約０．５ＭＰａの引裂強さを有する。対応する接着フィルム片（３Ｍからの製品Ｓｃｏｔｃｈ  ４９１０）は、軽量の２次元シート様構造体、例えば、ポスター、小さい絵画などを結合するために高度に適当である。実施例２からの接着フィルム片と対照的に、それらは、接着フィルムの最大の透明度（例えば、透明な材料を結合するために）あるいはきわめてすぐれた老化挙動、例えば、極端に紫外線安定性が重要である場合、アクリレートコポリマーの既知の非常にすぐれた老化特性のために、とくに使用することができる。
【００３２】
実施例５
両側が実施例１からの粘着組成物で厚さ２００μｍにコーティングされた１１ｇ／ｍ2チシュペーパーからなる接着フィルムのラミネートを、実施例１に記載するように処理する。実施例１と対照的に、接着結合を分離するために必要な力およびこうして結合の達成可能な剪断強さは、さらに、チシュペーパーの引裂強さ、ならびに接着組成物の延伸特性に依存する。したがって、要求される分離力は実施例１にと比較して増加される。この製品は製造の間に利点を有する。とくに、ストックロールの切断間にストックロールからの接着組成物の上昇が防止される。支持体は非常に容易に裂けるので、分離プロセスを妨害しない。
【００３３】
実施例６
両側が実施例１からの粘着組成物で厚さ１００μｍでコーティングされた厚さ７５μｍの熱可塑性ポリエステルウレタンのフィルム（Ｐｌａｔｉｌｏｎ  Ｕ０１）からなる接着フィルムのラミネートを、実施例１に記載するように処理する。実施例１と対照的に、接着結合を分離するために必要な力およびこうして結合の達成可能な剪断強さは、さらに、ポリウレタンフィルムを延伸するために要求される力、ならびに接着組成物の延伸特性に依存する。
【００３４】
したがって、要求される分離力は実施例１にと比較して増加される。
【００３５】
実施例７
６２ｋｇ／ｍ3の密度および両側に各２００μｍの厚さの実施例１の粘着組成物のコーティングを有する厚さ３０００μｍのＥＰＤＭフォームからなる接着フィルム片は、接着フィルムの中央においてフォームを完全に切断することによって製造する。
【００３６】
対応するフィルムは粗い表面を有する材料の結合のためにおよび／または粗い表面のためにとくに適当である。なぜなら、フォームの使用はフィルム平面に対して垂直の接着フィルムの変形性を有意に増加し、これは粗い縫合糸上の表面のぬれ、こうして結合強度が有意に増加するからである。
【００３７】
実施例８
実施例２に相当するが、わずかに７５ｇ／ｍ2の厚さの接着層および長さ３５ｍｍのシリコーン化ポリプロピレン剥離フィルムをもち、ここで剥離フィルムの５ｍｍが接着フィルムの各端における接着フィルムの回りに折り畳まれ、こうしてタブを形成する、接着フィルムは、同様にポスターの結合のために高度に適当である。接着結合の急速な分離の間に、接着ラミネートは引裂強さが不十分であるために裂ける。シリコーン化ポリプロピレン剥離フィルムを折り畳みそして接着フィルムの部分を結合平面に対して平行にゆっくり引くことによって除去する場合、残留物を残さないで支持体および前以て結合した物品からの接着フィルムの残留物の除去はそれにもかかわらず可能である。
【００３８】
実施例９
実施例１の別法として、対応する構造をもつが、５ｍｍ×１０ｍｍ×１００μｍ（幅×長さ×厚さ）および厚さ３０μｍの５ｍｍ×５ｍｍのシリコーン化ポリプロピレン剥離フィルムの非接着カバーを有する接着フィルムを製造する。対応する材料は写真アルバムにおける写真の可逆的結合のために高度に適当である。
本発明の主な特徴および態様は、次の通りである。
【００３９】
１．ａ）２側面の接着フィルムからなり、
ｂ）その接着表面はオフセットの方法で互いに対向して横たわる区域において非接着性とされており、
ｃ）非接着区域はほんのわずかにオーバーラップしているか、あるいはまったくオーバーラップしておらず、そして
ｄ）それと生成した接着結合は接着区域を引き離すことによって、とくに結合平面の方向に引くことによって分離することができる、
ことを特徴とする一時的結合のための接着フィルム片。
【００４０】
２．弾性的または可塑的に伸縮性であり、中間の支持体をもつか、あるいはもたないことを特徴とする、上記第１項記載の接着フィルム片。
【００４１】
３．接着フィルムの接着が凝着より低く、接着強度がフィルムの延伸の間に実質的に消失し、そして分離力／引裂強さの比が少なくとも１：１．５であることを特徴とする、上記第１項記載の接着フィルム片。
【００４２】
４．接着フィルムが熱可塑性ゴムおよび粘着付与ゴムに基づき、そして高い弾性および低い可塑性を有することを特徴とする、上記第１項記載の接着フィルム片。
【００４３】
５．非接着区域は非接着コーティングまたは積層層材料、例えば、紙またはプラスチックフィルムを有することを特徴とする、上記第１項記載の接着フィルム片。
【００４４】
６．中間の支持体を有し、前記中間の支持体はほんのわずかに延伸することができるか、あるいはまったく延伸することができず、そして必要に応じて公称破壊点、例えば、切れ目、部分的切れ目または孔あけを、非接着区域が横方向にオフセットする方法で接触する線上に有することを特徴とする、上記第１項記載の接着フィルム片。
【００４５】
７．接着区域が剥離積層、例えば、シリコーン化剥離紙または剥離フィルムによりカバーされており、とくにタブが剥離積層を引き離すために設けられていることを特徴とする、上記第１項記載の接着フィルム片。
８．非接着区域が接着フィルム片のへり、とくに上および下のへりの回りに延び、こうしてタブを形成し、これにより接着フィルム片またはその残部を結合および除去後に引き離すことができるような方法で、非接着区域が設計されていることを特徴とする、上記第１項記載の接着フィルム片。